(57)【要約】【課題】  原稿両面の読み取りが可能な読み取り装置において、制御コード付きの画像データを読み込んだ時のＦＣＯＴを短縮する。【解決手段】  搬送路７１の一方の側から原稿の表面の画像を読み取る第１の光学系と、搬送路７１の他方の側から原稿の裏面の画像を読み取る第２の光学系とを有し、第２の光学系は、第１の光学系よりも搬送経路の上流側に配置されている。表面の画像データの読み込みが完了する前に、裏面の画像データの読み込みを完了させておくので、制御コード付きの画像データを読み込んでプリントアウトするときに、ファーストコピー出力までの時間を短縮することができる。【選択図】        図３
2007166229.tif 000002
【特許請求の範囲】
【請求項１】
搬送路の一方の側から原稿の表面の画像を読み取る第１のセンサと、
前記搬送経路の他方の側から前記原稿の裏面の画像を読み取る第２のセンサとを有し、
前記第２のセンサは、前記第１のセンサよりも搬送経路の上流側に配置されていることを特徴とする画像読取り装置。
【請求項２】
前記原稿に埋め込まれた複写禁止情報を検出する検出手段と、
原稿の両面で前記複写禁止情報を検出することができなかった場合に、出力手段に読み取った画像データを出力する制御手段とを有することを特徴とする請求項１記載の画像読取り装置。
【請求項３】
前記原稿に埋め込まれた制御コードを検出する検出手段を有し、
前記表面の画像データよりも先に前記裏面の画像データに前記制御コードを検出すると、前記裏面の前記制御コードを解析する制御手段を有することを特徴とする請求項１記載の画像読取り装置。
【請求項４】
前記制御手段は、前記表面の画像データに前記制御コードを検出すると、前記裏面の前記制御コードの解析を中断し、前記表面の前記制御コードを解析し、解析終了後に前記裏面の制御コードを解析することを特徴とする請求項３記載の画像読取り装置。
【発明の詳細な説明】
【技術分野】
【０００１】
本発明は、原稿画像の無断コピーを防止する技術に関する。
【背景技術】
【０００２】
近年、原稿を搬送する搬送路の表裏両面側に２つの読み取りセンサを設けて、１回の原稿搬送にて原稿の表裏両面を自動的に読み取る、両面同時読み取り技術が提案されている（例えば、特許文献１参照）。
【０００３】
特許文献１に開示された両面同時読み取り可能なスキャナ装置の構成を図１に示す。図１に示すスキャナ装置は、搬送路７１に原稿を搬送し、ＣＣＤイメージセンサ６３にて原稿の表面を、裏面を第２のセンサ５０にて読み取る。光源６０からの光を原稿表面に照射し、反射光をミラー６１、結像レンズ６２によってＣＣＤイメージセンサ６３に集める。また、第２のセンサ５０は、ガラス５１と、このガラス５１を透過して原稿の第２面に光を照射するＬＥＤ（Ｌｉｇｈｔ  Ｅｍｉｔｔｉｎｇ  Ｄｉｏｄｅ）５２と、ＬＥＤ５２からの反射光を集光するレンズアレイ５３と、レンズアレイ５３により集光された光を読み取るイメージセンサであるラインセンサ５４を備えている。
【０００４】
また、“機密原稿”の印刷出力（プリントアウト）の不正複製による重要情報（機密内容）の漏洩ということが問題となってきている。このため、複写機能を持つ画像形成装置に、機密原稿の悪用複製を防止する機能を持たせることが提案されている。例えば、特許文献２では、複写禁止情報（コピー禁止とするか否か）、複写許可条件情報（条件が合致する場合にはコピーを許可するための情報）、潜像情報（コピーすると浮き上がる潜像に関する情報）等の制御コードを画像データの背景地紋パターンとして記録しておいて、コピー可能なユーザを制限する技術を開示している。
【０００５】
【特許文献１】特開２００４−３６３７１４号公報
【特許文献２】特開２００３−２８０４６９号公報
【発明の開示】
【発明が解決しようとする課題】
【０００６】
しかしながら、図１に示すスキャナ装置は、表面の画像データを読み込んだ後で裏面の画像データを読み込むので、原稿両面の画像データの読み込みが完了してから制御コードの解析を行うと、読み込み済みの表面の画像データに待機時間が発生し、ファーストコピーを出力するまでに時間（ＦＣＯＴ）がかかる。また、読み込んだ画像データを送信する時には、画像データを読み込んでから送信するまでに時間がかかるという問題を有している。
【０００７】
本発明は上記事情に鑑みてなされたものであり、原稿両面の読み取りが可能な読み取り装置において、制御コード付きの画像データを読み込んでから出力するまでの時間を短縮させることにある。
【課題を解決するための手段】
【０００８】
かかる目的を達成するために本発明の画像読取り装置は、搬送路の一方の側から原稿の表面の画像を読み取る第１のセンサと、前記搬送経路の他方の側から前記原稿の裏面の画像を読み取る第２のセンサとを有し、前記第２のセンサは、前記第１のセンサよりも搬送経路の上流側に配置されているとよい。
このように本発明は、表面の画像データの読み込みが完了する前に、裏面の画像データの読み込みを完了させておくので、制御コード付きの画像データを読み込んでプリントアウトするときに、ファーストコピー出力までの時間を短縮することができる。
【０００９】
上記画像読取り装置において、前記原稿に埋め込まれた複写禁止情報を検出する検出手段と、原稿の両面で前記複写禁止情報を検出することができなかった場合に、出力手段に読み取った画像データを出力する制御手段とを有するとよい。
【００１０】
上記画像読取り装置において、前記原稿に埋め込まれた制御コードを検出する検出手段を有し、前記表面の画像データよりも先に前記裏面の画像データに前記制御コードを検出すると、前記裏面の前記制御コードを解析する制御手段を有するとよい。
【００１１】
上記画像読取り装置において、前記制御手段は、前記表面の画像データに前記制御コードを検出すると、前記裏面の前記制御コードの解析を中断し、前記表面の前記制御コードを解析し、解析終了後に前記裏面の制御コードを解析するとよい。
【発明の効果】
【００１２】
本発明は、原稿両面の読み取りが可能な読み取り装置において、制御コード付きの画像データを読み込むときのＦＣＯＴや画像データ送信までに要する時間を短縮することができる。
【発明を実施するための最良の形態】
【００１３】
添付図面を参照しながら本発明の好適な実施例を説明する。
【実施例１】
【００１４】
まず、図２を参照しながら本実施例の画像形成装置１の構成を説明する。図２に示す画像形成装置１は、スキャナ部２と、スキャン画像処理部３と、画像蓄積部４と、第１複写禁止情報検出部５、第１複写許可条件情報検出部６と、第２複写禁止情報検出部７、第２複写許可条件情報検出部８と、制御部９と、背景地紋画像生成部１０と、画像合成部１１と、プリント部１２と、ユーザインターフェース部１３とを備えている。
【００１５】
スキャナ部２の構成について図３を参照しながら説明する。本実施例のスキャナ部２は、第１の光学系として、光源６０、ミラー６１、ＣＣＤイメージセンサ６３等を備え、光源６０からの光を原稿表面に照射し、反射光をミラー６１、結像レンズ６２によってＣＣＤイメージセンサ６３に集める。第２の光学系は第２センサ５０からなる。第２センサ５０は、ガラス５１と、このガラス５１を透過して原稿の第２面に光を照射するＬＥＤ５２と、ＬＥＤ５２からの反射光を集光するレンズアレイ５３と、レンズアレイ５３により集光された光を読み取るイメージセンサであるラインセンサ５４を備えている。ラインセンサ５４としては、ＣＣＤセンサやＣＭＯＳセンサ、密着型センサ等を用いることができる。本実施例では第１の光学系によって原稿の表面の画像を読み取り、第２の光学系によって原稿の裏面の画像を読み取る。図３に示すように本実施例は、第２の光学系が第１の光学系よりも搬送経路の前段に設けられている。従って、画像データは裏面の画像データが読み込まれた後に、表面の画像データが読み込まれることになる。
【００１６】
スキャン画像処理部３は、入力した画像データに対して、色補正、色空間変換、スクリーン処理等を行い、画像処理後の画像データを画像蓄積部４に蓄積する。
【００１７】
画像合成部１１は、画像蓄積部４から画像データを読み出してプリント部１２に出力する。また、制御部９によって背景地紋画像を合成するように設定されている場合、画像蓄積部４からの画像データの読み出しに同期して、画像合成部１１内のメモリに蓄積された背景地紋画像データを読み出して、画像データの所定の色プレーンに論理和（ＯＲ）合成を行い、合成画像データをプリント部１２へ出力する。プリント部１２は、画像合成部１１から出力される合成画像データ、または画像データを用紙上に記録する。
【００１８】
本実施例の画像形成装置は、背景地紋画像が埋め込まれた機密文書から、背景地紋画像に埋め込まれた制御コードを読み取って、許可されたユーザにだけ機密文書を印刷できるように構成されている。
背景地紋画像に埋め込まれる制御コードには以下のものがある。
（Ａ）・・・複写禁止情報（コピー禁止とするか否か）
（Ｂ）・・・複写許可条件情報（条件が合致する場合にはコピーを許可するための情報）
例えば、暗証番号、複写を許可するユーザＩＤ番号（社員番号等）、複写禁止を解除する日時、複写を許可する複写機の機械番号
（Ｃ）・・・潜像情報（コピーすると浮き上がる潜像に関する情報）
例えば、潜像の文字列、フォント種類、フォントサイズ、潜像文字列の方向（角度）、背景地紋画像色
【００１９】
ここで、背景地紋画像について図４を参照しながら詳細に説明する。背景地紋画像は、潜像画像ＩＰと、出力画像Ｏの全面にわたる背景パターンＰＢとから構成される。
【００２０】
背景パターンＰＢと潜像画像ＩＰとは、それぞれを構成するパターンが異なる。しかし、人間の目には全面均一のグレイ背景として見える様に、単位面積あたりの画素面積及び画素色が同一なパターンにより出力画像Ｏを形成する。
【００２１】
潜像画像ＩＰは、複写された文書において、潜像画像ＩＰが人間の目で識別できる程度に画像が浮かびあがるように、他の部分のよりも細かいドットで構成されている。
【００２２】
背景パターンＰＢは、コードから構成される。コードは、任意のコードデータを表す条件コードＣＤと、複写を制限する禁複写コードＣＰとから構成される。
【００２３】
コードは、任意のコードデータを表す斜線パターンＰＳから構成される。斜線パターンＰＳは、走査方向Ｄに対し反時計回りに４５度傾いた半直線で表されるものがコードデータのビット０を、１３５度傾いたものがコードデータのビット１を表す。
【００２４】
禁複写コードＣＰは、全斜線パターンＰＳがビット０を表すものとビット１を表すものとから構成される。禁複写コードＣＰは、２種類の禁複写コードＣＰを所定個数以上検出した場合に、複写が制限された原稿であると判断する為に使用される。
【００２５】
条件コードＣＤは、同期コード領域ＡＳとデータコード領域ＡＣとから構成される。
同期コード領域ＡＳとは、データコード領域ＡＣを囲む所定サイズの矩形領域の外周がすべてビット１を表す斜線パターンＰＳ１で構成されているコード領域を言う。
データコード領域には、暗証番号、複写を許可するユーザＩＤ番号（社員番号等）、複写禁止を解除する日時、複写を許可する複写機の機械番号等が符号化され、条件コードＣＤとして埋め込まれている。
【００２６】
次に、第１複写禁止情報検出部５、第２複写禁止情報検出部７について図５を参照しながら説明する。なお、第１複写禁止情報検出部５は、第１の光学系で読み取られた表面の画像データから複写禁止情報を検出し、第２複写禁止情報検出部７は、第２の光学系で読み取られた裏面の画像データから複写禁止情報を検出するものとする。なお、第１複写禁止情報検出部５と第２複写禁止情報検出部７は同一の処理を行うので、ここでは第１複写禁止情報検出部５の説明のみを行う。
【００２７】
スキャナ部２から出力された画像データは、グレースケール変換部２１に入力され、フルカラーからグレースケールに変換される。その後、２値化処理部２２によって２値化される。
【００２８】
２値化された画像データは、ノイズ除去処理部２３に入力され、ノイズ除去処理が行われる。具体的には、黒画素が連結している画素塊を求め、その画素塊の大きさ（連結画素数）が所定の範囲に収まっていない画素塊の各画素を白画素に置き換える。上記所定の範囲は、斜線パターンは削除されず、それ以外のパターン（孤立ドットパターンや文書中の文字や図形等）が削除されるように適切な範囲が設定されている。
【００２９】
ノイズ除去された画像データは、パターン検出部２４に入力され、２種類の斜線パターンの検出処理が行われ、その結果が１画素２ビットの画像データとして出力される。具体的には、画像データ中の各画素の位置で図６（Ａ）、（Ｂ）のパターンを当てはめて、テンプレートマッチングによって検出を行う。ここで、図６に示すパターン（Ａ）が検出された場合、画素値０を出力し、図６に示すパターン（Ｂ）が検出された場合、画素値１を出力し、パターンが検出されない場合、画素値２を出力する。
【００３０】
パターン検出処理部２４から出力された画像データは、ブロック化処理部２５に入力される。ここで、ブロックサイズは、複写禁止コード、条件コードのサイズの半分よりも小さいサイズとし、コードの中に１個以上のブロックが完全に含まれるようなサイズに設定されている。ブロック化処理部２５は、入力された画像データを所定サイズのブロックに分割し、個数算出部２６に出力する。
【００３１】
個数算出部２６は、ブロック内に画素値０の画素の個数、および画素値１の画素をそれぞれ算出し、その結果を比率算出部２７へ出力する。また、その合計を判定処理部２８へ出力する。比率算出部２７は、画素値０の画素の比率を算出し、その結果を判定処理部２８へ出力する。
【００３２】
判定処理部２８は、個数算出部２６から入力された合計個数および比率算出部２７から入力された比率を元にして、判定処理を行う。
【００３３】
ここで、今処理しているブロックの内部が全ビット０の複写禁止コードの内部に位置している場合、ブロック内部には所定個数以上のビット０に対応する斜線パターンが検出され、かつビット１に対応する斜線パターンはほとんど検出されないため、ビット０に対応する斜線パターンの比率が高くほとんど１．０に近いはずである。
【００３４】
また、今処理しているブロックの内部が全ビット１の複写禁止コードの内部に位置している場合、ブロック内部には所定個数以上のビット１に対応する斜線パターンが検出され、かつビット０に対応する斜線パターンはほとんど検出されないため、ビット０に対応する斜線パターンの比率は低くほとんど０．０に近いはずである。
【００３５】
また、今処理しているブロックが条件コードの少なくとも一部を含む場合、ブロック内部には複数のビット０に対応する斜線パターンおよび複数のビット１に対応する斜線パターンが検出されるため、ビット０に対応する斜線パターンの比率は１．０よりもかなり低く、０よりもかなり高くなるはずである。
【００３６】
また、もし入力された画像データが複写禁止情報を埋め込まれた画像であれば、画像中には、ブロックの内部が全ビット０の複写禁止コードと、ブロックの内部が全ビット１の複写禁止コードとがそれぞれ複数個埋め込まれているはずである。
【００３７】
以上の特性を利用して、下記のような判定処理を行う。
合計個数＞第１しきい値、かつ、比率＞第２しきい値の場合は、そのブロックは複写禁止コード０と判定する。
合計個数＞第１しきい値、かつ。（１−比率）＞第２しきい値の場合は、そのブロックは複写禁止コード１と判定する。
上記以外の場合は、そのブロックは複写禁止コードではないと判定する。また、第１しきい値は、ブロックサイズとパターンサイズからブロックに含まれる理論的なパターン個数にマージンを加味して設定する。第２しきい値は、１．０に近い値を設定する。
【００３８】
判定処理部２８は、複写禁止コード０と判定されたブロック数、および複写禁止コード１と判定されたブロック数をそれぞれ別々にカウントする。複写禁止コード０と判定されたブロック数がしきい値３以上となり、かつ複写禁止コード０と判定されたブロック数がしきい値３以上となった場合、その画像を複写禁止文書と判定し、その判定結果を制御部９へ出力する。
【００３９】
次に、第１複写許可条件情報検出部６、第２複写許可条件情報検出部８の詳細について図７を参照しながら説明する。第１複写許可条件情報検出部６は、第１の光学系で読み取られた表面の画像データから複写許可条件情報を検出し、第２複写許可条件情報検出部８は、第２の光学系で読み取られた裏面の画像データから複写禁止情報を検出するものとする。なお、第１複写許可条件情報検出部６と第２複写許可条件情報検出部８とは同一の処理を行うので、ここでは第１複写許可条件情報検出部６の説明のみを行う。
【００４０】
スキャナ部２から出力された画像データはグレースケール変換部３１に入力され、フルカラーからグレースケールに変換された後に、２値化処理部３２によって２値化される。
【００４１】
２値化された画像データはノイズ除去処理部３３に入力され、ノイズ除去処理３３が行われる。ノイズが除去された画像データは、パターン検出処理部３４に入力され、２種類の斜線パターンの検出処理が行われ、その処理結果のデータがバッファメモリ３５に格納される。この画像データは、ビット０に対応する斜線パターンが検出された位置の画素値は０、ビット１に対応する斜線パターンが検出された位置の画素値は１、それ以外は２の値を持った１画素２ビットの画像データとなっている。
【００４２】
バッファメモリ３５に格納された画像データは、スキュー角検出処理部３６に入力され、スキュー角度の検出が行われる。ここでは、入力画像データのスキュー角度を求める。具体的な方式としては、画素値０または１のみの画素のハフ変換を行い、その角度軸上への投影分布のピークを求めることによって行われる。求めたスキュー角度はコード検出部３７へ出力される。
【００４３】
また、バッファメモリ３５に格納された画像データが読み出されてコード検出部３７へ入力され、２次元コードの検出が行われる。具体的には、求めたスキュー角度に画像をスキャンして０または１の画素値（ビットの０または１に対応している）を取り出す。取り出された、ビット列から同期コードを見つけ出す。同期コードは、所定の縦横サイズの矩形領域の外周がすべてビット１で構成されているコードとして定義されている。この同期コードに囲まれたビット配列が２次元コード（条件コード）となっている。このビット配列を１次元のビット列に並べ替えて誤り訂正復号部３８へ出力する。
【００４４】
誤り訂正復号部３８では、入力されたビット列に対して、所定の誤り訂正復号処理を行い、条件情報として復号する。復号された複写許可条件情報は制御部９へ出力される。
【００４５】
次に、図８を参照しながら背景地紋画像生成部１０について説明する。
背景地紋画像生成部１０には、制御部９から制御コード（複写禁止情報、条件情報、潜像情報）が入力される。このうち複写禁止情報と複写許可条件情報は付加情報符号化部４２へ入力され、潜像情報は潜像生成部４１に入力される。
【００４６】
潜像生成部４１は、入力された潜像情報を元に潜像画像を生成する。潜像情報とは、パターン画像の中にどのような潜像文字を埋め込むかを示す情報であり、具体的には潜像の文字列、フォント種類、フォントサイズ、潜像文字列の方向（角度）等の情報からなる。潜像生成部４１は、潜像情報を受け取ると、指定されたフォント種類、フォントサイズで、指定された方向に潜像文字列の描画を行い、２値の潜像画像として生成する。生成した潜像画像は付加情報符号化部４２へ出力される。なお、潜像画像の解像度は、プリンタの解像度を後述するパターンのサイズで割った解像度となる。例えば、プリンタ解像度が６００ｄｐｉ、パターンのサイズが１２画素×１２画素の場合、潜像画像の解像度は５０ｄｐｉとなる。
【００４７】
付加情報符号化部４２は、入力された複写禁止情報及び条件情報の符号化を行う。まず、複写禁止情報がプリント出力を行った文書を画像形成装置で複写させないようにすること示す場合、図９（Ａ）、（Ｂ）に示す２種類の複写禁止コードを生成する。ここで、図９（Ａ）の複写禁止コードは、コード内部が全てビット０となっており、図９（Ｂ）の複写禁止コードは、コード内部が全てビット１となっていることが特徴である。複写禁止情報が入力されない場合、もしくはプリント出力を行った文書を画像形成装置で複写させないようにすることを示すものではない場合、図９（Ａ）および（Ｂ）に示す２種類のコードの生成は行われない。
【００４８】
次に、条件情報が入力されている場合、その条件情報に対して誤り訂正符号を行い、図９（Ｃ）に示すような条件コードを生成する。図９（Ｃ）のコードは、ビット０およびビット１の配列によって、符号化された条件情報のビット列を表している。コードの外周は、コードの位置決めを容易にするために特殊なビットパターンとなっている。
【００４９】
次に、生成したコードを図１０（Ａ）に示すように複数個繰り返し配置し、潜像画像の大きさと同じ大きさのパターン番号配列を生成する。ここで、図の斜線ハッチングされた矩形が図９（Ａ）の複写禁止コード、縦線ハッチングされた矩形が図９（Ｂ）の複写禁止コード、ドットハチングされた矩形が図９（Ｃ）の条件コードとなっている。もし、複写禁止コードが生成されなかった場合には、図中の複写禁止コードの部分には条件コードを配置する。また、もし条件コードが生成されなかった場合には、図中の条件コードの部分には複写禁止コードを配置する。この時点で、パターン番号配列の各要素の値は０または１になっている。
【００５０】
次に、潜像画像を参照し、潜像画像中の黒画素の座標に対応するパターン番号配列の要素のパターン番号を２に変更する。これを潜像画像中の全ての黒画素について行うと、パターン番号配列は、複写禁止コード、条件コードが並べて配置された背景にパターン番号２で潜像文字が描かれた状態となる。この状態を図１０（Ｂ）に示す。図中の黒色の「COPY」の部分が、パターン配列番号を２に変更された部分を示す。このパターン番号配列をパターン画像生成部４４へ出力する。
【００５１】
パターン画像生成部４４は、入力されたパターン番号配列の各要素を参照し、そのパターン番号に対応したパターンをパターン格納部４３から読み出してパターン画像に変換することで、背景地紋画像を生成する。生成された背景地紋画像は、画像合成部１１内のメモリ（不図示）に格納される。
【００５２】
本実施例の画像形成装置１は、原稿の裏面画像を読み取る第２の光学系を、原稿の表面画像を読み取る第１の光学系よりも搬送経路７１上の前側に設けている。このため、図１１に示すように裏面の読み取り完了タイミングを早めることができる。すなわち、表面の画像の読み取り完了時には、裏面の画像の読み取りが完了している。従って、表面の画像の読み取り完了後、直ちにプリンタ部１２に画像データを出力してプリントすることができる。従来のスキャナ部と比較して、図１１に示すＴの時間分だけ印刷完了時間を短縮することができる。
【００５３】
図１２に示すフローチャートを参照しながら本実施例の動作手順を説明する。ユーザインターフェース部１３のスタートボタンが押下されると（ステップＳ１）、原稿スキャンを開始する（ステップＳ２）。スキャナ部２は、図１１に示すタイミングで表面画像と、裏面画像の読み込みを行う（ステップＳ２）。
表面の画像データは、第１複写禁止情報検出部５と、第１複写許可条件情報検出部６とに出力される。また裏面の画像データは、第２複写禁止情報検出部７と、第１複写許可条件情報検出部８とに出力される。各部で検出された複写禁止情報及び複写許可条件情報は、制御部９に出力される。
【００５４】
制御部９は、まず原稿の読み込みが最初に完了する原稿裏面に複写禁止情報が埋め込まれているか否かを判定する（ステップＳ３）。裏面に複写禁止情報を検出した場合には（ステップＳ３／ＹＥＳ）、読み込まれた裏面及び表面の画像を破棄し（ステップＳ８）、アラームを出力する（ステップＳ９）。
【００５５】
また、裏面画像に複写禁止情報を検出することができなかった場合には（ステップＳ３／ＮＯ）、裏面の次に原稿画像の読み込みが完了する表面に複写禁止情報が埋め込まれているか否かを判定する（ステップＳ４）。表面に複写禁止情報を検出した場合には（ステップＳ４／ＹＥＳ）、読み込まれた裏面及び表面の画像を破棄し（ステップＳ８）、アラームを出力する（ステップＳ９）。
【００５６】
また、原稿の裏面及び表面に複写禁止情報を検出することができなかった場合には（ステップＳ４／ＮＯ）、制御部９は、表面の画像データをプリント部１２に出力し（ステップＳ５）、その後裏面の画像データをプリント部１２に出力する（ステップＳ６）。制御部９は、この処理を全原稿について行い、全原稿の複写が終了すると（ステップＳ７／ＹＥＳ）、この処理を終了する。
【００５７】
次に、図１３に示すフローチャートを参照しながら第２の手順を説明する。
原稿をスキャンして裏面の画像データから画像の読み込みを行うまでの手順は、上述したフローと同一である。
【００５８】
制御部９は、第１複写許可条件情報検出部６で裏面の制御コード（複写許可条件情報）を検出すると（ステップＳ１３）、裏面の制御コードの解析を開始する（ステップＳ１４）。次に制御部９は、第２複写許可条件情報検出部８で表面の制御コードを検出したか否かを判定する（ステップＳ１５）。表面の制御コードを検出することができなかった場合には（ステップＳ１５／ＮＯ）、裏面の制御コードの解析結果に応じた処理を行う。又は裏面の制御コードも検出することができなかった場合には、一般原稿であると判定し表面、裏面の画像データをプリンタ部１２に出力する（ステップＳ１６）。
【００５９】
また、第２複写許可条件情報検出部８で表面の制御コードを検出すると（ステップＳ１５／ＹＥＳ）、裏面の制御コードの解析が終了しているか否かを判定する（ステップＳ１７）。裏面の制御コードの解析が終了している場合には（ステップＳ１７／ＹＥＳ）、表面の制御コードの解析に移る（ステップＳ１８）。また、裏面の制御コードの解析が終了していなかった場合には（ステップＳ１７／ＮＯ）、裏面の制御コードの解析を中断して、表面の制御コードの解析に移る（ステップＳ１９）。その後、表面の制御コードの解析が終了すると、中断していた裏面の制御コードの解析を行う（ステップＳ２０）。その後、制御部９は、制御コードの解析結果に応じた処理を行い、全原稿の処理が終了すると（ステップＳ２２）、この処理を抜ける。このように本実施例は、制御コードの検出が早く完了する裏面原稿の解析から先に行うので、解析完了までの時間を短縮することができる。また、裏面の解析途中に表面に制御コードを検出すると、裏面の解析を中断して表面の解析を行うので、表面に主情報が記録されていた場合に、これを優先して検出することができる。
【００６０】
上述した実施例は本発明の好適な実施例である。但し、これに限定されるものではなく、本発明の要旨を逸脱しない範囲内において種々変形実施可能である。例えば、上述した実施例では、画像データをスキャナ部２で読み込んでプリント部１２でプリントする場合を例に説明しているが、スキャナ部２で読み込んだ画像データを、ファクシミリ等によって送信する場合にも適用することができる。
【図面の簡単な説明】
【００６１】
【図１】従来の両面読み取り可能なスキャナ装置の構成を示す図である。
【図２】画像形成装置の構成を示すブロック図である。
【図３】本発明の両面読み取り可能なスキャナ装置の構成を示す図である。
【図４】背景地紋画像を示す図である。
【図５】複写禁止情報検出部の構成を示すブロック図である。
【図６】テンプレートマッチングに使用される画像の一例を示す図である。
【図７】複写許可条件情報検出部の構成を示すブロック図である。
【図８】背景地紋画像生成部の構成を示すブロック図である。
【図９】複写禁止情報及び条件情報を示す図である。
【図１０】パターン番号配列を示す図である。
【図１１】プリントアウトまでのタイミングを示すタイムチャートである。
【図１２】処理手順の第１例を示すフローチャートである。
【図１３】処理手順の第２例を示すフローチャートである。
【符号の説明】
【００６２】
１  画像形成装置
２  スキャナ部
３  スキャン画像処理部
４  画像蓄積部
５  第１複写禁止情報検出部
６  第１複写許可条件情報検出部
７  第２複写禁止情報検出部
８  第２複写許可条件情報検出部
９  制御部
１０  背景地紋画像生成部
１１  画像合成部
１２  プリント部
１３  ユーザインターフェース部
【図１】
2007166229.tif 000003
【図２】
2007166229.tif 000004
【図３】
2007166229.tif 000005
【図４】
2007166229.tif 000006
【図５】
2007166229.tif 000007
【図６】
2007166229.tif 000008
【図７】
2007166229.tif 000009
【図８】
2007166229.tif 000010
【図９】
2007166229.tif 000011
【図１０】
2007166229.tif 000012
【図１１】
2007166229.tif 000013
【図１２】
2007166229.tif 000014
【図１３】
2007166229.tif 000015